(57)【要約】【課題】製造コストを低下できる自動ロック解除可能なスライドレールストッパー構造を提供する。【解決手段】係合ロックスライド部品１、弾性部品２及びストッパー部品４２を含む。第一レール２２及び第二レール３を組合せ実施し、第二レール３は第一レール２２においてスライドする。係合ロックスライド部品１及び弾性部品２は第二レール３に設置され、ストッパー部品４２は第一レール２２に設置されている。弾性部品２は係合ロックスライド部品１に圧力を施し、これにより、第二レール３が第一レール４４に相対してスライド移動して引き伸ばされた後、係合ロックスライド部品１は対応してストッパー部品４２において定位される。係合ロックスライド部品１は、斜槽、係合ブロック部１２、固定部品１３及びガイド突起を含む。【選択図】図１
0003121104.tif 000002
【実用新案登録請求の範囲】
【請求項１】
係合ロックスライド部品、弾性部品及びストッパー部品を含み、第一レール及び第二レールが組合せ実施され、前記第二レールは前記第一レールにおいてスライドし、
前記係合ロックスライド部品及び前記弾性部品は前記第二レールに設置され、前記ストッパー部品は前記第一レールに設置され、前記弾性部品は前記係合ロックスライド部品に圧力を施し、これにより、前記第二レールが前記第一レールに相対してスライド移動して引き伸ばされた後、前記係合ロックスライド部品は対応して前記ストッパー部品において定位され、
前記係合ロックスライド部品は斜槽、係合ブロック部、固定部品及びガイド突起を含み、前記弾性部品は前記第二レールに固設され、前記係合ロックスライド部品を押さえ、前記第二レールには斜導区が設置され、前記斜導区は斜導縁を具え、前記固定部品は前記斜槽を貫通し、前記係合ロックスライド部品は前記第二レールに連接し、前記係合ロックスライド部品のガイド突起は前記第二レールの斜導区においてスライドし、前記ガイド突起は前記斜導縁において定位されることを特徴とする自動ロック解除可能なスライドレールストッパー構造。
【請求項２】
前記弾性部品は、第一弾力アームを具え、前記係合ロックスライド部品の傍らを圧迫することを特徴とする請求項１記載の自動ロック解除可能なスライドレールストッパー構造。
【請求項３】
係合ロックスライド部品、弾性部品、引き伸ばし定位部品及びストッパー部品を含み、第一レール及び第二レールが組合せ実施され、前記第二レールは前記第一レールにおいてスライドし、
前記係合ロックスライド部品、前記弾性部品及び前記引き伸ばし定位部品は前記第二レールに設置され、前記ストッパー部品は前記第一レールに設置され、前記弾性部品は前記係合ロックスライド部品及び引き伸ばし定位部品に圧力を施し、これにより、前記第二レールが前記第一レールに相対してスライド移動して引き伸ばされた後、前記係合ロックスライド部品と前記引き伸ばし定位部品は対応してストッパー部品の両端を押さえ、前記係合ロックスライド部品は斜槽、係合ブロック部、固定部品及びガイド突起を具え、前記弾性部品は前記第二レールに固設され、前記係合ロックスライド部品と引き伸ばし定位部品を押さえ、前記第二レールには斜導区が設置され、前記斜導区は斜導縁を具え、前記固定部品は前記斜槽を貫通し、前記係合ロックスライド部品は前記第二レールに連接し、前記係合ロックスライド部品のガイド突起は前記第二レールの斜導区においてスライドし、前記ガイド突起は前記斜導縁において定位されることを特徴とする自動ロック解除可能なスライドレールストッパー構造。
【請求項４】
前記弾性部品は、第一弾力アームと第二弾力アームとを具え、それぞれ前記係合ロックスライド部品と前記引き伸ばし定位部品を押さえることを特徴とする請求項３記載の自動ロック解除可能なスライドレールストッパー構造。
【請求項５】
係合ロックスライド部品、弾性部品、引き伸ばし定位部品、ストッパー部品及び離脱引き部品を含み、第一レール及び第二レールが組合せ実施され、前記第二レールは前記第一レールにおいてスライドし、
前記係合ロックスライド部品、前記弾性部品、前記引き伸ばし定位部品及び前記離脱引き部品は前記第二レールに設置され、前記ストッパー部品は前記第一レールに設置され、前記弾性部品は前記係合ロックスライド部品及び引き伸ばし定位部品に圧力を施し、これにより、前記第二レールが前記第一レールに相対してスライド移動して引き伸ばされた後、前記係合ロックスライド部品と前記引き伸ばし定位部品は対応してストッパー部品の両端を押さえ、
前記係合ロックスライド部品は斜槽、係合ブロック部、固定部品及びガイド突起を具え、前記弾性部品は前記第二レールに固設され、前記係合ロックスライド部品と引き伸ばし定位部品を押さえ、前記第二レールには斜導区が設置され、前記斜導区は斜導縁を具え、前記固定部品は前記斜槽を貫通し、前記係合ロックスライド部品は前記第二レールに連接し、前記係合ロックスライド部品のガイド突起は前記第二レールの斜導区においてスライドし、前記ガイド突起は前記斜導縁において定位され、前記離脱引き部品は前記第二レールに嵌設スライドし、前記離脱引き部品には頂片が設置されて引き伸ばし定位部品に対応し、前記離脱引き部品を引きスライドさせることにより、前記頂片は前記引き伸ばし定位部品を引きスライドさせて連動することを特徴とする自動ロック解除可能なスライドレールストッパー構造。
【請求項６】
前記弾性部品は、第一弾力アームと第二弾力アームとを具え、それぞれ前記係合ロックスライド部品と前記引き伸ばし定位部品を押さえることを特徴とする請求項５記載の自動ロック解除可能なスライドレールストッパー構造。
【請求項７】
前記弾性部品は、延伸部を具え、前記離脱引き部品を制限して前記第二レールの内面に密着させてスライド移動させることを特徴とする請求項５記載の自動ロック解除可能なスライドレールストッパー構造。
【考案の詳細な説明】
【技術分野】
【０００１】
本考案は、一種の自動ロック解除可能なスライドレールストッパー構造に関する。特に、一種の第一レール及び第二レールは相対的に引き伸ばす時に一時的に定位可能で、かつ収納時には自動的にロックが解除される自動ロック解除可能なスライドレールストッパー構造に係る。
【背景技術】
【０００２】
現在、一般的なスライドレール設計において、機能性が高いものとしては、可動レール体を引き出した後、該可動レール体が簡単には内部へと収縮せずに固定レール体中に滑り入り、また、可動レール体は固定レール体に定位し、これにより、引き伸ばし状態において可動レール体の内部への収縮を防止するものがある。
【０００３】
この種の内部への収縮を防止する定位機能には、安定ロック方式と弾力的な一時的定位方式の２種の方式がある。
そのうち、安定ロック方式では、ロック解除の制御部品を設置する必要があり、これにより、可動レール体はロック解除を経て固定レール体に入る。一方、弾力的な一時的定位方式では、可動レール体に一定の推力を加えて該定位作用を自動解除後、可動レール体を強制的に押し入れるものである。
【０００４】
この種のスライドレールの定位機能設計では、本申請人は多くの特許を持つ。安定ロック方式に属するものでは、第４７７１９２号、第４８４３８０号、第４８９６１８号、第４９１０５７号、第４９２３００号、第５０４９９０号、第５０７５６１号、第５２５４５６号、第５６３４６５号、第５６６１３０号、第５６６１３１号、第５８９９６８号及び第Ｍ２５４９４８号がある。同方式に関わる特許は、別に第３２７７５７号、第３９２４７１号、第４０９５２８号、第５１０１８５号、第５１５４９４号、第５２５４５２号、第Ｍ２５７６９１号、第Ｉ２３４４４２号がある。
【０００５】
また、弾力的な一時的定位方式に属するものでは、本申請人が持つ特許は、第４７７１９３号、第Ｉ２３６５２３号及び第Ｉ２３８７０１号で、他に第４３１１５７号、第４５００５５号、第５２１６０３号、第Ｍ２６３８３２号、第Ｍ２７１４７５号がある。
本考案は、主に、前記第Ｉ２３８７０１号の設計を基礎に、構造部品の空間をさらに精巧にし、かつ各類スライドレールの使用の状況に応じて様々な機能とパーツを組合せ、適した製品を再開発したものである。
【考案の開示】
【考案が解決しようとする課題】
【０００６】
本考案は、上記構造の問題点を解決する自動ロック解除可能なスライドレールストッパー構造を提供するものである。
【課題を解決するための手段】
【０００７】
上記課題を解決するため、本考案は、下記の自動ロック解除可能なスライドレールストッパー構造を提供する。
それは、主に、一種の自動ロック解除可能なスライドレールストッパー構造を提供し、第一レール及び第二レールは相対的に引き伸ばされる時に一時的に定位可能で、かつ収納時には、該第二レールは自動的にロック解除が可能で該第一レールに入る。
【０００８】
本考案の構造は、係合ロックスライド部品、弾性部品及びストッパー部品を含み、第一レール及び第二レールを組合せ実施し、該第二レールは該第一レールにおいてスライドする。
該係合ロックスライド部品及び該弾性部品は該第二レールに設置し、該ストッパー部品は該第一レールに設置し、該弾性部品は該係合ロックスライド部品に圧力を施し、これにより、該第二レールは該第一レールに相対してスライド移動し、かつ極限まで引き伸ばされる時、該係合ロックスライド部品は対応して該ストッパー部品において定位される。
【０００９】
該係合ロックスライド部品は斜槽、係合ブロック部、ガイド突起及び固定部品を含み、該弾性部品は該第二レールに固設し、該係合ロックスライド部品を押さえ、該第二レールには斜導区を設置し、該斜導区は斜導縁を具え、該固定部品は該斜槽を貫通し、該係合ロックスライド部品を該第二レールに連接し、かつ該係合ロックスライド部品のガイド突起は該第二レールの斜導区においてスライドし、該ガイド突起は該斜導縁において定位される。
【００１０】
また、本考案の構造は係合ロックスライド部品、弾性部品、引き伸ばし定位部品及びストッパー部品を含み、第一レール及び第二レールを組合せ実施することもでき、該第二レールは該第一レールにおいてスライドする。
該係合ロックスライド部品、該弾性部品及び該引き伸ばし定位部品は該第二レールに設置し、該ストッパー部品は該第一レールに設置し、該弾性部品は該係合ロックスライド部品及び引き伸ばし定位部品に圧力を施し、これにより、該第二レールは該第一レールに相対してスライド移動し、かつ極限まで引き伸ばされる時、該係合ロックスライド部品と該引き伸ばし定位部品は対応してストッパー部品の両端を押さえる。
【００１１】
該係合ロックスライド部品は斜槽、係合ブロック部、ガイド突起及び固定部品を含み、該弾性部品は該第二レールに固設し、該係合ロックスライド部品と引き伸ばし定位部品を押さえ、該第二レールには斜導区を設置し、該斜導区は斜導縁を具え、該固定部品は該斜槽を貫通し、該係合ロックスライド部品を該第二レールに連接し、かつ該係合ロックスライド部品のガイド突起は該第二レールの斜導区においてスライドし、該ガイド突起は該斜導縁において定位される。
【００１２】
さらに、本考案の構造は係合ロックスライド部品、弾性部品、引き伸ばし定位部品、ストッパー部品及び離脱引き部品を含み、第一レール及び第二レールを組合せ実施することができ、該第二レールは該第一レールにおいてスライドする。
該係合ロックスライド部品、該弾性部品、該引き伸ばし定位部品及び該離脱引き部品は該第二レールに設置し、該ストッパー部品は該第一レールに設置し、該弾性部品は該係合ロックスライド部品及び引き伸ばし定位部品に圧力を施し、かつ該弾性部品は延伸部を具え、これにより、離脱引き部品を制限し、該第二レールは該第一レールのスライドに相対して移動し、かつ極限まで引き伸ばされる時、該係合ロックスライド部品と該引き伸ばし定位部品は対応してストッパー部品の両端を押さえる。
【００１３】
該係合ロックスライド部品は斜槽、係合ブロック部、ガイド突起及び固定部品を含み、該弾性部品は該第二レールに固設し、該係合ロックスライド部品を押さえ、該第二レールには斜導区を設置し、該斜導区は斜導縁を具え、該固定部品は該斜槽を貫通し、該係合ロックスライド部品を該第二レールに連接し、かつ該係合ロックスライド部品のガイド突起は該第二レールの斜導区においてスライドし、該ガイド突起は該斜導縁において押さえられ、該離脱引き部品は該第二レールに嵌設スライドし、該離脱引き部品は頂片が設置されて該引き伸ばし定位部品に対応し、該離脱引き部品を引きスライドさせることにより、該頂片は該引き伸ばし定位部品を押さえて連動することを特徴とする自動ロック解除可能なスライドレールストッパー構造である。
【考案の効果】
【００１４】
上記のように、本考案は、第二レールの限定された空間内において構成部品の組立てをさらに容易にし、かつパーツを節減しながら、機能性には一切影響を及ぼさず、製造コストを低下させて市場競争力を向上させることができる。
【考案を実施するための最良の形態】
【００１５】
図１から図３に示すように、本考案の一実施例による自動ロック解除可能なスライドレールストッパー構造は、係合ロックスライド部品１、弾性部品２及びストッパー部品４２を含み、第一レール４及び第二レール３を組合せ実施する。該第二レール３は該第一レール４内に設置するボール積載部品４１（ボールベアリング）においてスライドし、該第一レール４には別にストッパー部品４２及びサポート台４３が設置されている。通常、該第一レール４は外レール（固定レール体）で、該第二レール３は内レール（可動レール体）である。
【００１６】
該係合ロックスライド部品１及び該弾性部品２は該第二レール３に設置し、該ストッパー部品４２は該第一レール４に設置し、該弾性部品２は該係合ロックスライド部品１において圧力を加え、こうして、該第二レール３が該第一レール４に相対してスライド移動し、かつ極限まで引き伸ばされる時、該合ロックスライド部品１は該ストッパー部品４２を対応して押さえる。該係合ロックスライド部品１は斜槽１１、係合ブロック部１２、固定部品１３及びガイド突起１４を含み、該弾性部品２は該固定部品２１により該第二レール３に固定され、かつ第一弾力アーム２２により該係合ロックスライド部品１の傍らを固定する。該第二レール３は斜導区３１が設置され、該斜導区３１は斜導縁３１１を具え、該固定部品１３は該斜槽１１を貫通し、該係合ロックスライド部品１を該第二レール３に連接する。かつ該係合ロックスライド部品１のガイド突起１４は該第二レール３の斜導区３１においてスライドし、該ガイド突起１４は該斜導縁３１１において対応して固定する。
【００１７】
操作実施時には、図４に示すように、本実施例の第二レール３と第一レール４を引き伸ばす時、該係合ロックスライド部品１は該ストッパー部品４２位置まで移動し、該係合ロックスライド部品１の前縁は該ストッパー部品４２の後端を初めて押さえる。
次に、図５に示すように、本実施例のスライドレールが引き伸ばしを継続する時、該係合ロックスライド部品１は該斜槽１１により該固定部品１３に沿って斜めに退出し、かつ該ガイド突起１４は該斜導区３１内においてわずかな距離の移動を行う。これにより、該係合ロックスライド部品１は小角度の偏りを呈し、かつ斜めに退出し、スライドしてストッパー部品４２を通過する。
【００１８】
次に、図６に示すように、本実施例のスライドレールが引き伸ばしを定位位置まで継続する時、該係合ロックスライド部品１は該係合ブロック部１２により該ストッパー部品４２の前端において固定され、該第二レール３は該第一レール４に相対して一時的に定位される。
【００１９】
続いて、図７に示すように、本実施例のスライドレールの収納時、該係合ロックスライド部品１は先ず該係合ブロック部１２により該ストッパー部品４２において固定され、作用力を該第二レール３に加えて該第一レール４に押し入れる時、該係合ロックスライド部品１は該ガイド突起１４により該斜導区３１の斜導縁３１１において定位され、該斜槽１１の該固定部品１３に沿う導引に対応することにより、該係合ロックスライド部品１は該弾性部品２の第一弾力アーム２２を押して斜めに退出させる。さらに、図８に示すように、該第二レール３を継続して推入し、該係合ロックスライド部品１は該ストッパー部品４２の片側に入り、該第二レール３を収納する。
【００２０】
さらに図９及び図１０に示すように、本考案の他の実施例による自動ロック解除可能なスライドレールストッパー構造は、係合ロックスライド部品１Ａ、弾性部品２Ａ、引き伸ばし定位部品３２Ａ及びストッパー部品４２Ａを含み、第一レール４Ａ及び第二レール３Ａを組合せ実施することもできる。
【００２１】
該第二レール３Ａは該第一レール４Ａにおいてスライドし、該係合ロックスライド部品１Ａ、該弾性部品２Ａ及び該引き伸ばし定位部品３２Ａは該第二レール３Ａに設置し、該ストッパー部品４２Ａは該第一レール４Ａに設置し、該弾性部品２Ａは該係合ロックスライド部品１Ａ及び該引き伸ばし定位部品３２Ａに圧力を加える。これにより、該第二レール３Ａは該第一レール４Ａに対応してスライド移動し、かつ極限まで引き伸ばされる時、該係合ロックスライド部品１Ａと該引き伸ばし定位部品３２Ａは対応して該ストッパー部品４２Ａの前後端において定位される。
【００２２】
該係合ロックスライド部品１Ａは斜槽１１Ａ、係合ブロック部１２Ａ、固定部品１３Ａ及びガイド突起１４Ａを含み、該弾性部品２Ａは該第二レール３Ａに固設し、該弾性部品２Ａは該固定部品２１Ａにより該第二レール３Ａに固定し、かつ該第一弾力アーム２２Ａにより該係合ロックスライド部品１Ａを固定する。さらに、該第二弾力アーム２３Ａにより該引き伸ばし定位部品３２Ａを固定し、該第二レール３Ａには斜導区３１Ａを設置する。該斜導区３１Ａは斜導縁３１１Ａを具え、該固定部品１３Ａは該斜槽１１Ａを貫通し、該係合ロックスライド部品１Ａを該第二レール３Ａに接続する。かつ該係合ロックスライド部品１Ａのガイド突起１４Ａは該第二レール３Ａの斜導区３１Ａにおいてスライドし、該ガイド突起１４Ａは該斜導縁３１１Ａにおいて定位される。
【００２３】
さらに、図１１から図１３に示すように、本考案の他の実施例による自動ロック解除可能なスライドレールストッパー構造は、係合ロックスライド部品１Ｂ、弾性部品２Ｂ、引き伸ばし定位部品３２Ｂ、ストッパー部品４２Ｂ及び離脱引き部品３３Ｂを含み、第一レール４Ｂ及び第二レール３Ｂを組合せ実施することができる。
【００２４】
該第二レール３Ｂは該第一レール４Ｂにおいてスライドし、該係合ロックスライド部品１Ｂ、該弾性部品２Ｂ及び該引き伸ばし定位部品３２Ｂは該第二レール３Ｂに設置し、該ストッパー部品４２Ｂは該第一レール４Ｂに設置する。該弾性部品２Ｂは該固定部品２１Ｂにより該第二レール３Ｂに固定し、かつ該係合ロックスライド部品１Ｂ及び該引き伸ばし定位部品３２Ｂに圧力を加え、これにより、該第二レール３Ｂは該第一レール４Ｂに相対してスライド移動し、かつ極限まで引き伸ばされる時、該係合ロックスライド部品１Ｂと該引き伸ばし定位部品３２Ｂは対応し、該ストッパー部品４２Ｂの前後端において定位される。
【００２５】
該係合ロックスライド部品１Ｂは斜槽１１Ｂ、係合ブロック部１２Ｂ、固定部品１３Ｂ及びガイド突起１４Ｂを含む。該弾性部品２Ｂは該第二レール３Ｂにおいて固設され、該第一弾力アーム２２Ｂ、該第二弾力アーム２３Ｂによりそれぞれ該係合ロックスライド部品１Ｂ及び該引き伸ばし定位部品３２Ｂにおいて圧迫定位される。かつ該弾性部品２Ｂは延伸部２４Ｂを具えることができ、これにより、離脱引き部品３３Ｂを制限し、該第二レール３Ｂ内面に対応して簡単に跳ね上がることがなく、該第二レール３Ｂ内面に密着してスライド移動するようにする。
【００２６】
該第二レール３Ｂには斜導区３１Ｂを設置し、該斜導区３１Ｂは斜導縁３１１Ｂを具え、該固定部品１３Ｂは該斜槽１１Ｂを貫通する。該係合ロックスライド部品１Ｂを該第二レール３Ｂに連接し、かつ該係合ロックスライド部品１Ｂのガイド突起１４Ｂは該第二レール３Ｂの斜導区３１Ｂにおいてスライドする。該ガイド突起１４Ｂは該斜導縁３１１Ｂにおいて定位され、該離脱引き部品３３Ｂは該第二レール３Ｂにおいて嵌設されてスライドし、かつ該離脱引き部品３３Ｂには頂片３３１Ｂを設置し、これにより、定位部品３２Ｂを対応して引き伸ばす。さらに、該離脱引き部品３３Ｂを引きスライドさせ、該頂片３３１Ｂは該引き伸ばし定位部品３２Ｂを固定し、該引き伸ばし定位部品３２Ｂは該ストッパー部品４２Ｂに対応作動して移動する。また、該離脱引き部品３３Ｂに復位ばね３４Ｂを設置することができる。
【図面の簡単な説明】
【００２７】
【図１】本考案の一実施例による自動ロック解除可能なスライドレールストッパー構造のスライドレールに応用する状態を示す斜視図である。
【図２】本考案の一実施例による自動ロック解除可能なスライドレールストッパー構造を示す分解斜視図である。
【図３】本考案の一実施例による自動ロック解除可能なスライドレールストッパー構造の別の角度からみた状態を示す分解斜視図である。
【図４】本考案の一実施例による自動ロック解除可能なスライドレールストッパー構造の係合ロックスライド部品がストッパー部品を押さえる状態を示す模式図である。
【図５】本考案の一実施例による自動ロック解除可能なスライドレールストッパー構造の係合ロックスライド部品がストッパー部品から退出する状態を示す模式図である。
【図６】本考案の一実施例による自動ロック解除可能なスライドレールストッパー構造の係合ロックスライド部品が係合ブロック部によりストッパー部品において押さえられる状態を示す模式図である。
【図７】本考案の一実施例による自動ロック解除可能なスライドレールストッパー構造の係合ロックスライド部品が係合ブロック部によりストッパー部品において押さえられて退出させられる状態を示す模式図である。
【図８】本考案の一実施例による自動ロック解除可能なスライドレールストッパー構造の係合ロックスライド部品がストッパー部品の片側に入って収納を継続する状態を示す模式図である。
【図９】本考案の他の実施例による自動ロック解除可能なスライドレールストッパー構造の分解斜視図である。
【図１０】本考案の他の実施例による自動ロック解除可能なスライドレールストッパー構造の組合せ状態を示す模式図である。
【図１１】本考案の他の実施例による自動ロック解除可能なスライドレールストッパー構造の分解斜視図である。
【図１２】本考案の他の実施例による自動ロック解除可能なスライドレールストッパー構造の組合せ状態を示す斜視図である。
【図１３】本考案の他の実施例による自動ロック解除可能なスライドレールストッパー構造の操作状態を示す模式図である。
【符号の説明】
【００２８】
１  係合ロックスライド部品、１Ａ  係合ロックスライド部品、１Ｂ  係合ロックスライド部品、２  弾性部品、２Ａ  弾性部品、２Ｂ  弾性部品、３  第二レール、３Ａ  第二レール、３Ｂ  第二レール、４  第一レール、４Ａ  第一レール、４Ｂ  第一レール、１１  斜槽、１１Ａ  斜槽、１１Ｂ  斜槽、１２  係合ブロック部、１２Ａ  係合ブロック部、１２Ｂ  係合ブロック部、１３  固定部品、１３Ａ  固定部品、１３Ｂ  固定部品、１４  ガイド突起、１４Ａ  ガイド突起、１４Ｂ  ガイド突起、２１  固定部品、２１Ａ  固定部品、２１Ｂ  固定部品、２２  第一弾力アーム、２２Ａ  第一弾力アーム、２２Ｂ  第一弾力アーム、２３Ａ  第二弾力アーム、２３Ｂ  第二弾力アーム、２４Ｂ  延伸部、３１  斜導区、３１Ａ  斜導区、３１Ｂ  斜導区、３２Ａ  引き伸ばし定位部品、３２Ｂ  引き伸ばし定位部品、３３Ｂ  離脱引き部品、３４Ｂ  復位ばね、４１  ボール積載部品、４２  ストッパー部品、４２Ａ  ストッパー部品、４２Ｂ  ストッパー部品、４３  サポート台、３１１  斜導縁、３１１Ａ  斜導縁、３１１Ｂ  斜導縁、３３１Ｂ  頂片
【図１】
0003121104.tif 000003
【図２】
0003121104.tif 000004
【図３】
0003121104.tif 000005
【図４】
0003121104.tif 000006
【図５】
0003121104.tif 000007
【図６】
0003121104.tif 000008
【図７】
0003121104.tif 000009
【図８】
0003121104.tif 000010
【図９】
0003121104.tif 000011
【図１０】
0003121104.tif 000012
【図１１】
0003121104.tif 000013
【図１２】
0003121104.tif 000014
【図１３】
0003121104.tif 000015